(57)【要約】      （修正有）【課題】標準規格のコップ体を置くことができ、さらに、規格外のコップ体も置くことができるコップ体の取付け構造を提供する。【解決手段】主に円筒状を形成する固定部１０と、該固定部に設ける取付け部２０からなる。該取付け部の直径は前記固定部より大きい。使用するときに、前記固定部を標準規格のコップホルダに固定し、規格外のコップ体を前記取付け部に置く。これにより、標準規格のコップホルダは、標準規格のコップ体のほか、規格外のコップ体も取り付けることができる。【選択図】図３
0003156996.tif 000002
【実用新案登録請求の範囲】
【請求項１】
円筒状を形成し、標準のコップホルダを収容可能な固定部と、
前記固定部に設け、その直径は前記固定部より大きい取付け部と、含む、
コップ体の取付け構造。
【請求項２】
前記固定部と取付け部との接続場所に、コップ体を支えるためのフランジを設けることを特徴とする、請求項１記載のコップ体の取付け構造。
【請求項３】
前記取付け部の開口部の周辺に、弾性部材を設けることを特徴とする、請求項１記載のコップ体の取付け構造。
【請求項４】
前記弾性部材は内側に屈折する止め金であることを特徴とする、請求項３記載のコップ体の取付け構造。
【請求項５】
前記取付け部の内側の壁面に複数の内側の突き出して伸ばす突起部材を設けることを特徴とする、請求項３記載のコップ体の取付け構造。
【考案の詳細な説明】
【技術分野】
【０００１】
本考案は一種のコップ体取付け構造に係わり、特に規格外の大きいコップ体を収容可能なコップ体取付け構造に係わる。
【背景技術】
【０００２】
自動車に備えるコップホルダは、固定台によって車内の所定場所に取り付けられている。固定台の一端は所定場所に固定し、他端は伸ばしてコップ体または飲料缶形状のコップホルダを形成する。コップホルダの径は標準で、市販の標準規格のコップ体または飲料缶を収容できる。
【考案の概要】
【考案が解決しようとする課題】
【０００３】
この種の構造は標準規格のコップ体には、標準規格のコップ体に対応できるが、巨大コップ、規格が珍しいまたは不規則状の縁部のコップ体を取り付けることができず、手で持つしかない、使用者に不便感を与える。
【課題を解決するための手段】
【０００４】
本考案人は前記した公知技術のコップホルダの構造は、全規格のコップ体に適用できない問題点について、改善策を図るため、その欠点を補うための合理な解決策を研究し、分析および設計を繰り返した結果、本考案にかかるコップホルダの取付け構造を思案しました。
【０００５】
主に構造体に固定部を設け、固定部により大きい径の取付け部を設ける。使用するときに、固定部を標準規格のコップホルダに嵌装し、コップホルダに固定した後に、規格外または不規則状の縁部のコップ体を取付け部に置く。これにより、標準規格のコップホルダに標準規格のコップ体を置くことができる。さらに、本考案を適用することによって、規格外のコップ体を置くことができる、一種のコップ体の取付け構造を提供することを本考案の主な目的である。
【０００６】
取付け部の周辺は、内側に伸ばす弾性部材を設け、弾性部材の弾性力によって、弾性部材の弾性許容範囲内のコップ体は、すべて取り付けることを可能とし、調節目的を実現できる、一種のコップ体の取付け構造を提供することを本考案もう一つの目的である。
【図面の簡単な説明】
【０００７】
【図１】本考案実施例１の立体概略図である。
【図２】本考案実施例１の実施態様図である。
【図３】本考案実施例１を実施するときの断面概略図である。
【図４】本考案実施例２の立体概略図である。
【図５】本考案実施例２を実施するときの断面概略図である。
【図６】本考案実施例３の立体概略図である。
【考案を実施するための形態】
【０００８】
本考案の構造に対し、さらなる理解を図るため、本考案が前記の目的を実現するために採用する手段および効果について、好ましい実施例と図式を合わせて、以下のとおり詳細説明する。
【実施例１】
【０００９】
図１乃至３を参照しながら本考案に係るコップ体の取付け構造の実施例１を説明する。
係る構造に固定部１０を設け、固定部１０は形状を限定しない。本実施例において、円筒体を実施する。固定部は１０市販の標準規格のコップホルダ３０の取り付けに適する（図３に示す）。
固定部１０はさらに、外側に伸ばして拡張する取付け部２０に接続し、取付け部２０の直径は固定部１０の直径より大きい。かつ取付け部２０と固定部１０との接続場所に、フランジ２１を形成する。
使用するときに、固定部１０を標準規格のコップホルダ３０に嵌装することによって、コップホルダ３０に固定した後に、規格外または不規則状の縁部のコップ体を取付け部２０に置き、フランジ２１によって、コップ体の底部を支える。これにより、標準規格のコップホルダは、標準規格のコップ体のほか、本考案を適用すれば、規格外または不規則状の縁部のコップ体を取付けることができる。
【実施例２】
【００１０】
図４と図５を参照しながら本考案に係る実施例２を説明する。
この構造に固定部１０を設け、固定部１０は形状を限定しない。
本実施例において、円筒体を実施する。固定部は１０市販の標準規格のコップホルダ３０の取り付けに適する（図３に示す）。
固定部１０はさらに、外側に伸ばして拡張する取付け部２０に接続し、取付け部２０の直径は固定部１０の直径より大きい。かつ取付け部２０と固定部１０との接続場所にフランジ２１を形成する。
このほか、取付け部２０の開口部の周辺は内側に伸ばす弾性部材２２を設け、本実施例において、内側に屈折する止め金を実施する。弾性部材２２の弾力によって、直径が弾性部材２２の弾性許容範囲内のコップ体はすべて取付け可能であり、調節目的を実現できる。
使用するときに固定部１０を標準規格のコップホルダ３０に嵌装し、コップホルダ３０に固定した後に、規格外または不規則状の縁部のコップ体を取付け部２０に置き、フランジ２１によって、規格外のコップ体の底部を支える。
これにより、標準規格のコップホルダに標準規格のコップ体のほか、本考案を適用することによって、規格外または不規則状の縁部のコップ体を取付けることが可能のほか、弾性部材２２によって、細部調節の目的を実現できる。
【実施例３】
【００１１】
図６を参照しながら本考案に係る実施例３を説明する。
本実施例は前記実施例２との大きな違いは、取付け部２０の内側の壁面は、複数の内側に突き出して伸ばす突起部材２３を設け、突起部材２３の弾性によって、直径が突起部材２３の弾性許容範囲内のコップ体は、すべて取付け可能であり、調節目的を実現できる。
使用するときに、固定部１０を標準規格のコップホルダ３０に装着し、コップホルダ３０に固定した後に、規格外または不規則状の縁部のコップ体を取付け部２０に置き、フランジ２１によって、規格外のコップ体の底部を支える。
これにより、標準規格のコップホルダに標準規格のコップ体のほか、本考案を適用することによって、規格外または不規則状の縁部のコップ体を取付けることが可能のほか、突起部材２３によって、細部調節の目的を実現できる。
【００１２】
以上説明の通り、本考案に係るコップ体の取付け構造の取付け構造は、構造が単純で、しかも使用便利の効果を有し、消費者の使用意欲を向上できる。よって、本考案は公知技術の構造の欠点を確実に改良でき、効果を向上する実用性を有する。
【００１３】
前記実施例は本考案に係るコップ体の取付け構造の好ましい実施例を例示する目的であり、この分野における通常の技量を有するものは、様々な変化を介して、同等の効果例を思案できる。これらのすべては本考案の精神と範疇に含まれるものである。
【符号の説明】
【００１４】
１０  固定部
２０  取付け部
２１  フランジ
２２  弾性部材
２３  突起部材
３０  コップホルダ
【図１】
0003156996.tif 000003
【図２】
0003156996.tif 000004
【図３】
0003156996.tif 000005
【図４】
0003156996.tif 000006
【図５】
0003156996.tif 000007
【図６】
0003156996.tif 000008